(57)【特許請求の範囲】
【請求項１】
ケース内に収納されたプリント基板に形成した開口部内に、発光面が前記プリント基板の一方の面側に向き、且つ実装面が前記プリント基板の一方の面と反対の他方の面側を向くよう配した発光手段を固定すると共に、
前記プリント基板の他方の面側に、前記開口部及び前記発光手段を覆うように反射手段を配設し、
前記発光手段の発光面と前記ケース側に設けた照光部との間であって、前記開口部に対応する位置に、光を拡散させて前記照光部へ投光する拡散手段を設けたことを特徴とする情報端末。
【請求項２】
前記開口部の形状を長孔とした請求項１に記載の情報端末。
【請求項３】
前記反射手段の反射面を、前記開口部の端部から前記発光手段にかけて傾斜させ或は湾曲させて集光作用を持たせた請求項１又は２に記載の情報端末。
【請求項４】
前記拡散手段を前記プリント基板の裏面側の色が前記照光部に透けない色に着色した請求項１、２又は３に記載の情報端末。
【発明の詳細な説明】
【０００１】
【発明の属する技術分野】
本発明は情報端末に関するものである。
【０００２】
【従来の技術】
携帯電話機や携帯型情報端末等の情報端末において、最近では着信やメールの受信時にＬＥＤ（発光ダイオード）による照明を用いて使用者に通知することが多く、そのＬＥＤ照明部の光ムラや光の拡散の状態が製品の外観に大きな影響を与えている。又、最近の携帯電話機は、薄型化が進む一方でＬＣＤ（液晶ディスプレ）の大型化、カラー化が進み、厚さが厚くなる傾向にあるにも拘らず、厚さ方向の制限が更に厳しくなっているのが現状である。
【０００３】
図１０〜図１８は従来の二つ折り式の携帯電話機の一例である。図１０は二つ折り式の携帯電話機の開いた状態を示す正面図、図１１は図１０の背面図、図１２は携帯電話機表示部に収納されているＬＣＤ及びＰＣＢ（液晶ディスプレ及びプリント基板）のアッセンブリをプリント基板の表面側から見た斜視図、図１３は図１２のＬＣＤ及びＰＣＢ（液晶ディスプレ及びプリント基板）のアッセンブリをプリント基板の裏面側から見た斜視図、図１４はプリント基板に対する発光ダイオードの従来の取付け構造の一例を示す断面図、図１５は図１４のＸＶ−ＸＶ方向矢視図、図１６はプリント基板に対する発光ダイオードの従来の取付け構造の他の例を示す断面図、図１７は図１６のＸＶＩＩ−ＸＶＩＩ方向矢視図、図１８は図１６のＸＶＩＩＩ−ＸＶＩＩＩ方向矢視図である。
【０００４】
図１０、１１中、５１は携帯電話機操作部、５２は携帯電話機表示部である。携帯電話機表示部５２内には、図１２及び図１３に示すようにＬＣＤ及びＰＣＢ（液晶ディスプレ及びプリント基板）のアッセンブリ５３が組込まれている。
【０００５】
アッセンブリ５３は、液晶ディスプレイモジュール５４とプリント基板５５を備えており、液晶ディスプレイモジュール５４はプリント基板５５の表面側に設けられている。図１２中、５６はプリント基板５５の表面側に装着されたＦＰＣ（フレキシブルプリント基板）コネクタである。
【０００６】
図１４、１５に示すように、プリント基板５５の裏面、すなわち図１４、１５に示すプリント基板５５の上面（図１２、１３では、プリント基板５５の液晶ディスプレイモジュール５４を設けた面とは反対側の面）には、左右に間隔を置いて実装用端子５７が形成されており、外形形状が直方体状の発光ダイオード５８は、実装用端子５７を介してプリント基板５５の裏面に半田５９により固着されている。
【０００７】
又、携帯電話機表示部５２のリアケース６０内には、発光ダイオード５８よりもリアケース６０内表面側に位置するよう、拡散プレート６１が配置され、発光ダイオード５８から拡散プレート６１に向け発光した光は、拡散プレート６１で拡散されて投光され、携帯電話機表示部５２のリアケース６０に取付けた照光部６２を照光し得るようになっている。而して、照光部６２の照光を目視することにより着信やメールの受信が確認される。
【０００８】
プリント基板に装着される発光ダイオードの従来の取付け構造の他の例としては、図１６〜図１８に示すようなものがある。すなわち、プリント基板５５の所定位置に厚さ方向へ向けて円形の貫通孔６３（貫通孔６３は矩形状でも良い。）が設けられており、プリント基板５５の表面側（図１６、１７に示すプリント基板５５の下面）には、貫通孔６３を間に挟んで、実装用端子６４が形成されている。
【０００９】
発光ダイオード６５は正面視で凸形状に形成されており、プリント基板５５の表面側から発光ダイオード６５を貫通孔６３に埋入した際には、幅広のフランジ部６５ａのプリント基板５５表面側に対向した面は、実装用端子６４に当接しており、半田６６によりプリント基板５５の表面に固着されている。又、発光ダイオード６５のフランジ部６５ａとは反対側の先端は、貫通孔６３から若干プリント基板５５の裏面側へ突出している。なお、図１６〜図１８の場合、発光ダイオード６５の形状や取付け方以外は、図１４、１５と同じである。
【００１０】
この場合にも、着信時やメールの受信時に発光ダイオード６５から拡散プレート６１に向け発光した光は、拡散プレート６１で拡散されて投光され、携帯電話機表示部５２のリアケース６０に取付けた照光部６２が照光されて着信やメールの受信が確認される。
【００１１】
【発明が解決しようとする課題】
従来の携帯電話機において、図１４、１５に示すように、発光ダイオード５８の固着面をプリント基板５５の裏面にすると、発光ダイオード５８の拡散プレート６１側先端におけるプリント基板５５裏面からの突出量は大きくなる。又、発光ダイオード５８から発光された光が、拡散プレート６１で充分に拡散されるようにするには、拡散プレート６１が略均一に照射されるように、発光ダイオード５８の拡散プレート６１側先端から拡散プレート６１までの寸法Ｌを所定量確保する必要がある。このため、図１４、１５に示すプリント基板５５に対する発光ダイオード５８の取付け構造の場合には、携帯電話機表示部５２の厚さが厚くなって好ましくない。
【００１２】
一方、携帯電話機表示部５２の厚さを薄型化するために、図１４、１５に示す寸法Ｌを小さくすると、発光ダイオード５８から発光された光は拡散プレート６１で充分に拡散されず、拡散プレート６１の拡散効果が低下する。このため、これを改善するには、発光ダイオード５８に供給する電流を増加させたり、発光ダイオード５８に加え別の発光ダイオードを増設しなければならないという欠点がある。
【００１３】
従来の携帯電話機において、図１６〜図１８に示すように、発光ダイオード６５の実装面をプリント基板５５の表面側とし、発光ダイオード６５をプリント基板５５に埋設するようにすると、発光ダイオード５８の拡散プレート６１側先端におけるプリント基板５５裏面からの突出量は小さくなる。
【００１４】
しかしながら、図１６〜図１８のように、発光ダイオード６５が貫通孔６３に埋入されている場合には、発光ダイオード６５から発光された光は、全てが拡散プレート６１へ入射されず、一部の光は拡散プレート６１のないプリント基板５５表面側へ漏洩してしまう。従ってこの場合には、発光ダイオード６５から発光された光の有効利用ができない。更に、貫通孔６３と発光ダイオード６５との間のクリアランスは、貫通孔６３を通しての光の漏れを少なくすべく、所要量以下とする必要があるため、光をプリント基板５５の裏面に沿った方向に投光することができず、制限され、この点からも光の有効利用ができない。
【００１５】
本発明は、斯かる実情に鑑み、ケースの薄型化を可能にすることができると共に、１個の発光ダイオードにより広範囲を照光するようにして光の有効利用を図り得るようにした情報端末を提供しようとするものである。
【００１６】
【課題を解決するための手段】
本発明の請求項１の情報端末は、
ケース内に収納されたプリント基板に形成した開口部内に、発光面が前記プリント基板の一方の面側に向き、且つ実装面が前記プリント基板の一方の面と反対の他方の面側を向くよう配した発光手段を固定すると共に、
前記プリント基板の他方の面側に、前記開口部及び前記発光手段を覆うように反射手段を配設し、
前記発光手段の発光面と前記ケース側に設けた照光部との間であって、前記開口部に対応する位置に、光を拡散させて前記照光部へ投光する拡散手段を設けたものである。
【００１９】
本発明の請求項２の情報端末は、前記開口部の形状を長孔としたものである。
【００２０】
本発明の請求項３の情報端末は、前記反射手段の反射面を、前記開口部の端部から前記発光手段にかけて傾斜させ或は湾曲させて集光作用を持たせたものである。
【００２１】
本発明の請求項４の情報端末は、前記拡散手段を前記プリント基板の裏面側の色が前記照光部に透けない色に着色したものである。
【００２２】
本発明においては、着信時或はメールの受信時には、発光手段から光が発光される。而して、発光された光は直接拡散手段に到達して拡散され、投光されるか、或は、開口部を通って反射手段で反射されて拡散手段に到達し、拡散されて投光される。このため、照光部が照光されて着信或はメールの受信が確認される。
【００２３】
本発明においては、反射手段を設けることにより、プリント基板表面側に漏れた光を反射させて拡散手段に至らしめることができるため、プリント基板表面側に漏れた光をも拡散手段で拡散させることができ、従って拡散効果が向上して光の有効利用を図ることができ、又、発光手段のプリント基板裏面側への突出量が小さくなるため、ケースの薄型化を図ることができる。
【００２４】
【発明の実施の形態】
以下、本発明の実施の形態を図示例と共に説明する。
図１〜図９は本発明の二つ折り式の情報端末を実施する形態の一例である。図１は二つ折り式の携帯電話機を正面側から見た斜視図、図２は図１の携帯電話機を背面側から見た斜視図、図３は図２の携帯電話機表示部を背面から見た斜視図、図４は図３の携帯電話機表示部を分解して示す斜視図、図５は図４に示すＬＣＤ及びＰＣＢ（液晶ディスプレ及びプリント基板）のアッセンブリをプリント基板の裏面側から見た斜視図、図６は図５のプリント基板表面側に貼付けてある反射シートを分解してプリント基板と共に見た斜視図、図７は反射シートの貼付けてあるプリント基板を表面側から見た斜視図、図８はプリント基板に対する発光ダイオードの取付け構造の一例を示す断面図、図９は図８のＩＸ−ＩＸ方向矢視図である。
【００２５】
図１〜図３中、１は携帯電話機操作部、２は携帯電話機表示部である。
図４中、３は携帯電話機表示部２のフロントケース、４はフロントケース３内に組込み得るようにしたＬＣＤ及びＰＣＢ（液晶ディスプレ及びプリント基板）のアッセンブリ、５はフロントケース３と一体に組付けられるリアケースであり、リアケース５の幅方向中央部には、長手方向へ延在する凹部５ａが形成されると共に、凹部５ａの幅方向中央部には、凹部５ａに沿って凹部５ａを厚さ方向へ貫通する細長い長孔６が形成されている。
【００２６】
７はリアケース５の凹部５ａに嵌込まれる細長いプレートで、プレート７の幅方向中央部には、プレート７に沿い形成された乳白色アクリル樹脂製の細長い照光部８が取付けられている。照光部８を乳白色アクリル樹脂製とするのは、照光部８での拡散効果を向上させるためである。又、プレート７はリアケース５とは別体としているが、リアケース５と一体としても良い。
【００２７】
アッセンブリ４は、図５に拡大して示すように、液晶ディスプレイモジュール９とプリント基板１０を備えており、液晶ディスプレイモジュール９は、プリント基板１０のプリント配線パターンが形成されて電気部品が装着される表面側、すなわち図５においてプリント基板１０の向う側の面に設けられている。図５におけるプリント基板１０は裏面側が表されている。又、図７に示すようにプリント基板１０の表面側には、一対のコネクタ１８が取付けられ、一対のコネクタ１８には、液晶ディスプレイモジュール９の図示せぬ一対のコネクタが接続されている。なお、図７ではプリント配線パターンの図示を省略している。
【００２８】
プリント基板１０の長手方向両端部には、図５、６に示すように、プリント基板１０の幅方向中央部に位置すると共に、プリント基板１０を厚さ方向へ貫通する２本の長孔１１が直列状に設けられている。又、各長孔１１の一端部には、プリント基板１０の長手方向端部側に位置するようにして発光ダイオード１２が設けられている。長孔１１の長さとしては、発光ダイオード１２からプリント基板１０に略沿って発光された光が所要照度で到達することができる最長の長さとする。
【００２９】
図８、９に示すように、プリント基板１０の表面、すなわち図８、９に示すプリント基板１０の下面（図５ではプリント基板１０の液晶ディスプレイモジュール９が設けられている面）には、左右に間隔を置いて実装端子１３が形成されている。
【００３０】
発光ダイオード１２は、図９に示すように、正面視で凸形状に形成されており、プリント基板１０の表面側から発光ダイオード１２を長孔１１に埋入した際には、発光ダイオード１２における幅広のフランジ部１２ａのプリント基板１０表面側に対向した面（実装面）は、実装端子１３に当接しており、半田１７によりプリント基板１０の表面に固着されている。
【００３１】
又、発光ダイオード１２のフランジ部１２ａとは反対側は発光面となっており、その先端は長孔１１から若干プリント基板１０の裏面側へ突出している。而して、発光ダイオード１２から発光された光は、プリント基板１０の裏面側（図８、９の上面）からプレート７側へ向かうように取付けられている。
【００３２】
携帯電話機表示部２のフロントケース３（図４参照）内には、プリント基板１０の表面側（図８、９におけるプリント基板１０の下側）において長孔１１に対向すると共に、発光ダイオード１２におけるフランジ部１２ａのプリント基板１０から離反した面に対向するよう、反射シート１４が配設されており、反射シート１４はプリント基板１０の表面側に、発光ダイオード１２及び長孔１１を全て覆うよう、貼着されている（図７、図８、図９参照）。反射シート１４は、長孔１１からプリント基板１０の表面側に漏れる光を反射させて光の有効利用を図るためのもので、反射シート１４の代わりに成形品や板金製品を用いるようにしても良い。
【００３３】
反射シート１４には、横方向（図６、７における左右方向）に延在する貼着補強片１４ａが設けられており、反射シート１４がプリント基板１０の表面から剥離することを防止し得るようになっている。このように、反射シート１４はプリント基板１０の表面に貼着されているため、図８に示すように、長孔１１の全周囲から発光ダイオード１２のフランジ部１２ａにかけて、反射面が傾斜又は湾曲することとなり、対向する照光部８に反射光を集光させ得るようになっている。
【００３４】
携帯電話機表示部２のリアケース５に形成した凹部５ａの長孔６には、拡散シート１５（図４、８、９参照）が配設されている。而して、拡散シート１５は、発光ダイオード１２のプリント基板１０裏面側先端よりも、プレート７側に位置している。拡散シート１５を設けるのは、発光ダイオード１２の光源１６から照光部８までの距離を充分確保できなくとも、光の照光部８での拡散効果を向上させるためである。
【００３５】
而して、拡散シート１５はプレート７の照光部８に対向して配置されており、薄いグレーに着色されている。拡散シート１５を着色するのは、拡散シート１５が無色透明の場合、プリント基板１０のレジスト色（緑色の部分）が照光部８から見えてしまい、外観が低下するので、これを防止するためである。
【００３６】
次に、上記図示例の作動を説明する。
着信時やメールの受信時には、発光ダイオード１２からリアケース５に取付けたプレート７側へ向けて発光された光は、一部は拡散シート１５で拡散されつつ透過して、携帯電話機表示部２のリアケース５に取付けたプレート７の照光部８に投光され、又、長孔１１に沿った方向へ発光された一部の光は拡散シート１５で反射し、長孔１１を通ってプリント基板１０の表面側へ漏れるが、漏れた光は反射シート１４で反射し、長孔１１を通って再び拡散シート１５に至り、拡散シート１５で拡散されつつ透過して照光部８へ投光される。このため、照光部８を目視することにより着信やメールの受信が確認される。
【００３７】
本図示例によれば、プリント基板１０に長孔１１を設けて光の一部に方向性を持たせるようにしているため、プリント基板１０の表面側に漏れた光は、反射シート１４で反射して長孔１１を通り拡散シート１５に至り、拡散シート１５で拡散させられる。このため拡散シート１５の拡散効果が向上する。又、拡散効果が向上する結果、発光ダイオード１２への給電量を上げる必要がなく、発光ダイオード１２を増設する必要がない。
【００３８】
又、反射シート１４を設けることでプリント基板１０の表面側に漏れた光を再利用することができるため、従来では損失となる光の有効利用が可能となり、発光ダイオード１２から放射された光の利用効率が向上する。
【００３９】
更に、発光ダイオード１２は照光部８と対向するプリント基板１０の裏面側に直接取付けず、発光ダイオード１２をプリント基板１０に設けた長孔１１に埋入させると共に、フランジ部１２ａを介してプリント基板１０の表面側に実装するようにしているため、発光ダイオード１２の拡散シート１５に対向した面のプリント基板１０裏面からの拡散シート１５側への突出量が小さくなる（図８参照）。このため、発光ダイオード１２の拡散シート１５に対向した面から拡散シート１５までの寸法Ｌを、従来の図１４、１５に示す場合と同様にしても、携帯電話機表示部２のケースを薄型化することができる。
【００４０】
なお、本発明の情報端末においては、携帯電話機が二つ折りの場合について説明したが、二つ折りでないものに対しても適用可能なこと、携帯電話機に限らず種々の情報端末に対し適用することができること、その他、本発明の要旨を逸脱しない範囲内において種々変更を加え得ることは勿論である。
【００４１】
【発明の効果】
以上、説明したように本発明の情報端末によれば、反射手段を設けることにより、プリント基板表面側に漏れた光を反射させて拡散手段に至らしめることができるため、プリント基板の表面側に漏れた光をも拡散手段で拡散させることができ、従って拡散効果が向上して光の有効利用を図ることができ、又、発光手段のプリント基板裏面側への突出量が小さくなるため、ケースの薄型化を図ることができるという優れた効果を奏し得る。
【図面の簡単な説明】
【図１】本発明の情報端末の実施の形態の一例で、二つ折り式の携帯電話機を正面側から見た斜視図である。
【図２】図１の携帯電話機を背面側から見た斜視図である。
【図３】図２の携帯電話機表示部を背面から見た斜視図である。
【図４】図３の携帯電話機表示部を分解して示す斜視図である。
【図５】図４に示すＬＣＤ及びＰＣＢ（液晶ディスプレ及びプリント基板）のアッセンブリをプリント基板の裏面側から見た斜視図である。
【図６】図５のプリント基板表面側に貼付けてある反射シートを分解してプリント基板と共に見た斜視図である。
【図７】図６のプリント基板を反射シートを貼付けた状態で表面側から見た斜視図である。
【図８】本発明の情報端末におけるプリント基板に対する発光ダイオードの取付け構造の一例を示す断面図である。
【図９】図８のＩＸ−ＩＸ方向矢視図である。
【図１０】従来の情報端末の一例で、二つ折り式の携帯電話機の開いた状態を示す正面図である。
【図１１】図１０の背面図である。
【図１２】図１１に示す携帯電話機表示部に収納されているＬＣＤ及びＰＣＢ（液晶ディスプレ及びプリント基板）のアッセンブリをプリント基板の表面側から見た斜視図である。
【図１３】図１２のＬＣＤ及びＰＣＢ（液晶ディスプレ及びプリント基板）のアッセンブリをプリント基板の裏面側から見た斜視図である。
【図１４】プリント基板に対する発光ダイオードの従来の取付け構造の一例を示す断面図である。
【図１５】図１４のＸＶ−ＸＶ方向矢視図である。
【図１６】プリント基板に対する発光ダイオードの従来の取付け構造の他の例を示す断面図である。
【図１７】図１６のＸＶＩＩ−ＸＶＩＩ方向矢視図である。
【図１８】図１６のＸＶＩＩＩ−ＸＶＩＩＩ方向矢視図である。
【符号の説明】
３  フロントケース（ケース）
５  リアケース（ケース）
８  照光部
１０  プリント基板
１１  長孔（開口部）
１２  発光ダイオード（発光手段）
１４  反射シート（反射手段）
１４ａ    貼着補強片
１５  拡散シート（拡散手段）
【図１】
0003798963.tif 000002
【図２】
0003798963.tif 000003
【図３】
0003798963.tif 000004
【図４】
0003798963.tif 000005
【図５】
0003798963.tif 000006
【図６】
0003798963.tif 000007
【図７】
0003798963.tif 000008
【図８】
0003798963.tif 000009
【図９】
0003798963.tif 000010
【図１０】
0003798963.tif 000011
【図１１】
0003798963.tif 000012
【図１２】
0003798963.tif 000013
【図１３】
0003798963.tif 000014
【図１４】
0003798963.tif 000015
【図１５】
0003798963.tif 000016
【図１６】
0003798963.tif 000017
【図１７】
0003798963.tif 000018
【図１８】
0003798963.tif 000019